(57)【特許請求の範囲】
【請求項１】
装填された光ディスクの種別を判別する光ディスク判別方法において、前記光ディスクのデータゾーンにおいて、所定の周波数帯域のＷｏｂｂｌｅ信号を検出するバンドパスフィルタを用いてＷｏｂｂｌｅ信号を検出し、前記Ｗｏｂｂｌｅ信号のレベルがＷｏｂｂｌｅグルーブを有さない非記録型の光ディスクより得られる値以上であり、ＤＶＤ規格の光ディスクより得られる値以下であるか否かを判定し、前記判定におけるＷｏｂｂｌｅ信号の信号レベルであって、前記光ディスクのリードインゾーンからＣＳＳ情報を検出したときは、前記光ディスクをＤＶＤ  Ｄｏｗｎｌｏａｄ規格の光ディスクと判定することを特徴とする光ディスク判別方法。
【請求項２】
前記Ｗｏｂｂｌｅ信号は、プッシュプル検出方式で検出されたトラッキングエラー信号により検出されることを特徴とする請求項１記載の光ディスク判別方法。
【請求項３】
前記光ディスクのリードインゾーンに記録されている前記光ディスクの属性情報を、更に読み込んで、ＤＶＤ−ＲＯＭであると認識されたときに、前記光ディスクをＤＶＤ  Ｄｏｗｎｌｏａｄ規格の光ディスクと判定することを特徴とする請求項１または２に記載の光ディスク判別方法。
【請求項４】
光ディスクに情報の記録および／または光ディスクに記録された情報の再生を行なう光ディスク装置において、
前記光ディスクのデータゾーンからＷｏｂｂｌｅ信号を識別する第一識別手段と、
前記Ｗｏｂｂｌｅ信号レベルが所定の周波数帯域のＷｏｂｂｌｅ信号を検出するバンドパスフィルタを用いた場合にＷｏｂｂｌｅ信号のレベルがＷｏｂｂｌｅグルーブを有さない非記録型の光ディスクより得られる値以上であり、ＤＶＤ規格の光ディスクより得られる値以下であるか否かを判定するレベル判定手段と、
前記光ディスクのリードインゾーンに記録されているＣＳＳ情報を識別する第二識別手段と、
前記第一識別手段から前記Ｗｏｂｂｌｅ信号が識別されたという出力信号、前記レベル判定手段で前記Ｗｏｂｂｌｅ信号のレベルが所定の前記信号レベル以下であるという出力信号、および前記第二識別手段からＣＳＳ情報が識別されたという出力信号があったときは、前記光ディスクをＤＶＤ  Ｄｏｗｎｌｏａｄ規格の光ディスクと判定するディスク判別手段と、
を有することを特徴とする光ディスク装置。
【請求項５】
更に、前記リードインゾーンに記録されている前記光ディスクの属性情報から、前記光ディスクがＤＶＤ−ＲＯＭであるか否かを識別する第三識別手段を有し、前記第三識別手段がＤＶＤ−ＲＯＭであると識別したときに、前記ディスク判別手段は、前記光ディスクをＤＶＤ  Ｄｏｗｎｌｏａｄ規格の光ディスクと判定することを特徴とする請求項４記載の光ディスク装置。
【請求項６】
情報処理装置にインストールすることにより請求項４または請求項５に記載の光ディスク装置として機能させるためのプログラム。
【発明の詳細な説明】
【技術分野】
【０００１】
本発明は、光ディスク判別方法、光ディスク装置、およびプログラムに関する。
【背景技術】
【０００２】
光ディスクとして、ＤＶＤ（Ｄｉｇｉｔａｌ  Ｖｅｒｓａｔｉｌｅ  Ｄｉｓｃ：以下「ＤＶＤ」という）には種々の規格が存在し、利用形態の変化に応じて新しい規格が設定されている（たとえば、非特許文献１参照）。このため、ＤＶＤ再生装置またはＤＶＤ記録装置にＤＶＤを装填したときに、装填されたＤＶＤの種別を判別することが必要である。これらのＤＶＤの種別を判別する技術としては、特許文献１および特許文献２に開示されている技術が知られている。
【非特許文献１】ＤＶＤフォーラムホームページ（ｈｔｔｐ：／／ｗｗｗ.ｄｖｄｆｏｒｕｍ．ｇｒ．ｊｐ／）、Ｃｕｒｒｅｎｔ  ＤＶＤ（ｈｔｔｐ：／／ｗｗｗ.ｄｖｄｆｏｒｕｍ．ｏｒｇ／ｍｉ−ｃｕｒｒｅｎｔ＿ＤＶＤ．ｈｔｍ）
【特許文献１】特開２００４−２４６９９０号公報
【特許文献２】特開２０００−３１５３５５号公報
【発明の開示】
【発明が解決しようとする課題】
【０００３】
非特許文献１に示されるように、新しいＤＶＤの規格として、ＤＶＤ  Ｄｏｗｎｌｏａｄ規格が提案されている。このＤＶＤ  Ｄｏｗｎｌｏａｄ規格は、従来のコンテンツ提供者がコンテンツが記録されたＤＶＤを最終消費者に直接供給する形態（ＭＯＤ：Ｍａｎｕｆａｃｕｔｕｒｉｎｇ  Ｏｎ  Ｄｅｍａｎｄ）ではなく、コンテンツ提供者から承認された販売業者などが、コンテンツ自体をＤＶＤに記録して最終消費者にそのＤＶＤを提供する形態（ＭＯＤ−２）や、最終消費者が販売業者の店頭において購入した何も記録されていないＤＶＤ（以下、このようなＤＶＤを「ブランクディスク」という）にコンテンツを書き込む形態（ＥＳＴ：Ｅｌｅｃｔｒｏｎｉｃ  Ｓｅｌｌ  Ｔｈｒｏｕｇｈ）を想定した規格である。
【０００４】
図２は、光ディスク１の論理フォーマット上の区分を示した図である。光ディスク１には、属性情報等が記録されているリードインゾーン２０とデータゾーン２１とに区分されている。このリードインゾーン２０には、更に光ディスク１の制御情報が記録されているコントロールデータゾーン（図示せず）が含まれている。データゾーン２１は、コンテンツデータが記録されている領域である。また、データゾーン２１は、論理アドレスの開始番地２２から外周方向に向かって適切な論理フォーマット上のアドレス管理がなされている。
【０００５】
ＤＶＤ  Ｄｏｗｎｌｏａｄ規格に基づいた光ディスクの場合、このコントロールデータゾーンに、ＣＳＳ（Ｃｏｎｔｅｎｔ  Ｓｃｒａｍｂｌｅ  Ｓｙｓｔｅｍ：以下「ＣＳＳ」という）情報が記録されている。ここでＣＳＳ情報とは、光ディスク１に暗号化されて記録されたコンテンツデータが、そのコンテンツの提供者または販売業者から正式に承認されていることを示すものである。このＣＳＳ情報は、上述した提供形態により記録されるタイミングは異なるが、違法な複製を防止するためにコンテンツデータが記録されている光ディスク１やブランクディスク内のリードインゾーン２０に記録される情報である。なお、従来のＤＶＤファミリー（ＤＶＤ−ＲＯＭ、ＤＶＤ−Ｒ、ＤＶＤ−ＲＷなど）におけるコントロールデータゾーンには、以下に示す４種類の情報が記録されている。
１）Ｂｏｏｋ  Ｔｙｐｅ（ブックタイプ、光ディスクの論理上の種別が記録されている）
２）Ｃｏｍｐａｔｉｂｌｅ  Ｐａｒｔ  Ｖｅｒｓｉｏｎ（互換性バージョンが記録されている）
３）Ｄｉｓｃ  ｉｄｅｎｔｉｆｉｅｒ（光ディスク上の暗号化処理名等が記録されている）
４）Ｍａｘｉｍｕｍ  ｒｅｃｏｒｄｅｄ  ａｄｄｒｅｓｓ（コンテンツデータの最終記録アドレスが記録されている）
【０００６】
ＤＶＤ  Ｄｏｗｎｌｏａｄ規格に基づいた光ディスクには、必ず「Ｂｏｏｋ  Ｔｙｐｅ」に「ＤＶＤ−ＲＯＭ」と記録され、「Ｄｉｓｃ  ｉｄｅｎｔｉｆｉｅｒ」に上述したＣＳＳ情報を示す「ＤＶＤ  Ｄｏｗｎｌｏａｄ  Ｄｉｓｃ  ｆｏｒ  ＣＳＳ  Ｍａｎａｇｅｄ  Ｒｅｃｏｒｄｉｎｇ」と記録される。
【０００７】
このＤＶＤ  Ｄｏｗｎｌｏａｄ規格に基づいた光ディスクを特許文献１や特許文献２に開示されているディスク判定方法や従来の光ディスク装置に装填すると、以下のような処理がなされるため、再生処理が行なわれない。
【０００８】
図４は、従来のディスク判定における処理動作を示すフローチャートである。光ディスクが、図示外の光ディスク装置に装填されると（ＳＴＡＲＴ）、光ディスク装置は、その光ディスクのデータゾーン２１を読み取る（ステップＳ２１）。そして、光ディスク装置は、プッシュプル検出方式によりＷｏｂｂｌｅ信号によるトラッキングエラーを検出し、その光ディスクに対して物理的なディスク判別を行なう（ステップＳ２２）。光ディスク装置は、ステップＳ２２においてＷｏｂｂｌｅ信号が検出されないとき（Ｎｏ）は、その光ディスクを非記録型の光ディスク（たとえば、ＤＶＤ−ＲＯＭ）であると判定する（ステップＳ２３）。一方、光ディスク装置は、ステップＳ２２においてＷｏｂｂｌｅ信号が検出されたとき（ＹＥＳ）は、その光ディスクを記録型の光ディスク（たとえば、ＤＶＤ−Ｒ）であると判定するため、さらにリードイン情報を読み取る（ステップＳ２４）。そして、光ディスク装置は、リードイン情報にＣＳＳ情報が含まれているか否かを判定する（ステップＳ２５）。ステップＳ２５においてリードイン情報にＣＳＳ情報が含まれていないとき（Ｎｏ）は、光ディスク装置は、その光ディスクを記録型の光ディスクであると判定し、ユーザの所望により、再生したい場合には再生動作を行ない、記録したい場合には記録動作などが行われる（ステップＳ２６）。一方、ステップＳ２６においてリードイン情報にＣＳＳ情報が含まれているとき（Ｎｏ）は、光ディスク装置は、その光ディスクの再生処理を行なわない（ステップＳ２７）。
【０００９】
このような判定処理を行なう従来の記録機である光ディスク装置に、ＤＶＤ  Ｄｏｗｎｌｏａｄ規格に基づいた光ディスクを装填すると、以下の判定処理がなされる。すなわち、光ディスク装置は、ステップＳ２２においてＷｏｂｂｌｅ信号が検出されるため（ＹＥＳ）、ＤＶＤ  Ｄｏｗｎｌｏａｄ規格に基づいた光ディスクを物理的には記録型の光ディスクであると判定する。更に、光ディスク装置は、ステップＳ２４においてリードインゾーンを読み込み、ＣＳＳ情報の有無を検出する（ステップＳ２５）。その結果、ＤＶＤ  Ｄｏｗｎｌｏａｄ規格に基づいた光ディスクは、物理的には記録型の光ディスクであると判定されたにもかかわらず、ＣＳＳ情報が検出されてしまう。したがって、光ディスク装置は、そのＤＶＤ  Ｄｏｗｎｌｏａｄ規格に基づいた光ディスクの再生処理を行なわない（ステップＳ２７）。なお、ステップＳ２７において再生処理が行なわれない理由は、ＣＳＳコンプライアンスにより、物理的な認識と論理的な認識の異なる光ディスクは、非記録型の光ディスクに記録されるべきコンテンツデータが記録型の光ディスクに記録されているという違法なコピーディスクである可能性が高いという判断がなされているためである。つまり、ＤＶＤ  Ｄｏｗｎｌｏａｄ規格に基づいた光ディスクは、従来の光ディスク装置に装填すると正当な光ディスクとして認識されず、誤動作を引き起こす恐れや、再生処理を行なうことができないという問題がある。
【００１０】
本発明は、上述の問題を解決するもので、ＤＶＤ  Ｄｏｗｎｌｏａｄ規格に基づいた光ディスクであることを誤動作なく簡単に判定することができる光ディスク判定方法、光ディスク装置、およびプログラムを提供することを目的とする。
【課題を解決するための手段】
【００１１】
本発明は、上述した目的を達成するために、装填された光ディスクの種別を判別する光ディスク判別方法において、光ディスクのデータゾーンにおいて、所定の周波数帯域のＷｏｂｂｌｅ信号を検出するバンドパスフィルタを用いてＷｏｂｂｌｅ信号を検出し、Ｗｏｂｂｌｅ信号のレベルがＷｏｂｂｌｅグルーブを有さない非記録型の光ディスクより得られる値以上であり、ＤＶＤ規格の光ディスクより得られる値以下であるか否かを判定し、判定におけるＷｏｂｂｌｅ信号の信号レベルであって、光ディスクのリードインゾーンからＣＳＳ情報を検出したときは、光ディスクをＤＶＤ  Ｄｏｗｎｌｏａｄ規格の光ディスクと判定する光ディスク判別方法であることを特徴とする。
【００１２】
また、他の発明は、上述した発明に加えて、Ｗｏｂｂｌｅ信号は、プッシュプル検出方式で検出されたトラッキングエラー信号により検出されること光ディスク判別方法であることを特徴とする。
【００１３】
また、他の発明は、上述した発明に加えて、光ディスクのリードインゾーンに記録されている光ディスクの属性情報を、更に読み込んで、ＤＶＤ−ＲＯＭであると認識されたときに、光ディスクをＤＶＤ  Ｄｏｗｎｌｏａｄ規格の光ディスクと判定する光ディスク判別方法であることを特徴とする。
【００１４】
また、他の発明は、光ディスクに情報の記録および／または光ディスクに記録された情報の再生を行なう光ディスク装置において、光ディスクのデータゾーンからＷｏｂｂｌｅ信号を識別する第一識別手段と、Ｗｏｂｂｌｅ信号レベルが所定の周波数帯域のＷｏｂｂｌｅ信号を検出するバンドパスフィルタを用いた場合にＷｏｂｂｌｅ信号のレベルがＷｏｂｂｌｅグルーブを有さない非記録型の光ディスクより得られる値以上であり、ＤＶＤ規格の光ディスクより得られる値以下であるか否かを判定するレベル判定手段と、光ディスクのリードインゾーンに記録されているＣＳＳ情報を識別する第二識別手段と、第一識別手段からＷｏｂｂｌｅ信号が識別されたという出力信号、レベル判定手段でＷｏｂｂｌｅ信号のレベルが所定の信号レベル以下であるという出力信号、および第二識別手段からＣＳＳ情報が識別されたという出力信号があったときは、光ディスクをＤＶＤ  Ｄｏｗｎｌｏａｄ規格の光ディスクと判定するディスク判別手段と、を有する光ディスク装置であることを特徴とする。
【００１５】
また、他の発明は、上述した発明に加えて、更に、リードインゾーンに記録されている光ディスクの属性情報から、光ディスクがＤＶＤ−ＲＯＭであるか否かを識別する第三識別手段を有し、第三識別手段がＤＶＤ−ＲＯＭであると識別したときに、ディスク判別手段は、光ディスクをＤＶＤ  Ｄｏｗｎｌｏａｄ規格の光ディスクと判定する光ディスク装置であることを特徴とする。
【００１６】
また、他の発明は、情報処理装置にインストールすることにより上述した光ディスク装置のいずれか一つとして機能させるためのプログラムであることを特徴とする。
【発明の効果】
【００１７】
本発明によれば、ＤＶＤ  Ｄｏｗｎｌｏａｄ規格に基づいた光ディスクであることを誤動作なく簡単に判別することができる。
【発明を実施するための最良の形態】
【００１８】
以下、図面を参照して本発明の実施の形態を説明する。図１は、光ディスク装置の一部の構成例を示すものである。光ディスク装置は、モータ２と、光ピックアップ３と、信号処理／サーボ制御部４と、ディスク判別部５とを有する。この光ディスク装置は、装填された光ディスク１がモータ２によって回転し、これを光ピックアップ３により光ディスク１上に記録されたデータを読み取る装置である。
【００１９】
以下、光ディスク装置の各構成部について説明する。モータ２は、光ディスク１を安定に回転するためのものであり、たとえばスピンドルモータなどで構成される。光ピックアップ３は、光ディスク１の信号を読み取る機能を備えている。光ピックアップ３は、サーボ制御を行なう信号処理／サーボ制御部４と接続されている。信号処理／サーボ制御部４は、光ピックアップ３で読み取られた信号を処理してその検出結果をディスク判別部５へ出力する信号処理機能（図１の矢印１０）と、リードインゾーン２０で読み取られた信号を処理してディスク判別部５へ出力し、データゾーン２１で読み取られた信号を出力する信号処理機能（図１の矢印１１）とを有する。また、信号処理／サーボ制御部４は、これらの読み取られた信号に基づいて、光ピックアップ３のフォーカス、トラッキングのサーボ制御を行なうサーボ制御機能（図１の矢印１２）を有する。信号処理機能は、具体的にはＣＳＳ情報の検出出力、その他の制御信号の検出出力、トラッキングエラー信号の検出出力を行なう機能を有する。この信号処理／サーボ制御部４は、ＲＦフロントエンドおよびディジタル信号処理の機能、光ピックアップ３のアクチュエータであるフォーカスサーボ駆動部（図示せず）、トラッキングサーボ駆動部（図示せず）に対してサーボ制御信号を与えるサーボ制御機能を有するものである。なお、信号処理／サーボ制御部４は、光ディスク１のデータゾーン２１からＷｏｂｂｌｅ信号を識別する機能を有する点、Ｗｏｂｂｌｅ信号レベルが所定の閾値以下であるか否かを判定する機能を有する点、光ディスク１のリードインゾーン２０に記録されているＣＳＳ情報を識別する機能を有する点、およびリードインゾーン２０に記録されている属性情報から、光ディスク１がＤＶＤ−ＲＯＭであるか否かを識別する点で、それぞれ第一識別手段、レベル判定手段、第二識別手段および第三識別手段として機能する。
【００２０】
ディスク判別手段としてのディスク判別部５は、信号処理／サーボ制御部４から出力されるＣＳＳ検出信号およびＴＥ検出信号（トラッキングエラー信号）が入力され、光ディスク１がどのような種類のものかを判別し、その判別結果を出力するディスク判別手段である（図１の矢印１３）。この判別結果の出力により、光ディスク装置は、装填された光ディスク１がＤＶＤ  Ｄｏｗｎｌｏａｄ規格の光ディスク１であるか否かを判定し、光ディスク１の読み取り動作を停止し、光ディスク１の再生動作処理、再生停止処理、排出処理等を行なうことができる。
【００２１】
続いて、図３のフローチャートを参照して説明する。図３は、装填された光ディスク１がＤＶＤであると判別された後に、ＤＶＤ  Ｄｏｗｎｌｏａｄ規格の光ディスク１であると判定する処理の流れを示すフローチャートである。
【００２２】
光ディスク１が図示しない光ディスク装置に装填されると（ＳＴＡＲＴ）、光ピックアップ３は、光ディスク１のデータゾーン２１の読み取りを行なう（ステップＳ１）。
【００２３】
信号処理／サーボ制御部４は、第一識別手段として、光ピックアップ３で読み取った信号からプッシュプル法によりトラッキングエラー信号を検出し、その検出したトラッキングエラー信号の振幅によって、Ｗｏｂｂｌｅグルーブに基づくトラッキングエラー信号であるか否かの判定を行なう（ステップＳ２）。ここで、Ｗｏｂｂｌｅグルーブに基づくトラッキングエラー信号が得られない場合（Ｎｏ）、例えば微小レベルのトラッキングエラー信号しか得られなかった場合、信号処理／サーボ制御部４は、プッシュプル法によるトラッキングエラー信号検出に対してピットのみに基づくトラッキングエラー信号を検出しているため、その光ディスク１を非記録型の光ディスク１であると判定する（ステップＳ３）。ステップＳ２においてＷｏｂｂｌｅグルーブに基づくトラッキングエラー信号が得られた場合（Ｙｅｓ）、信号処理／サーボ制御部４は、Ｗｏｂｂｌｅグルーブの振幅が所定の閾値以下であるか否かの判定を行なう（ステップＳ４）。信号処理／サーボ制御部４は、Ｗｏｂｂｌｅグルーブの振幅が所定の閾値以下でないときつまり、所定の閾値より大きいとき（Ｎｏ）は、その光ディスク１を記録型の光ディスク１であると判定する（ステップＳ５）。具体的には、Ｗｏｂｂｌｅグルーブを有するＤＶＤ−Ｒ、ＤＶＤ＋Ｒ、ＤＶＤ−ＲＷ、ＤＶＤ＋ＲＷなどの光ディスクであると判断される。一方、信号処理／サーボ制御部４は、Ｗｏｂｂｌｅグルーブの振幅が所定の閾値以下であるとき（Ｙｅｓ）は、光ディスク１におけるＷｏｂｂｌｅグルーブは、ＤＶＤ  Ｄｏｗｎｌｏａｄ規格の光ディスク１に設けられたＷｏｂｂｌｅグルーブを検出していると判断できるため、続けて光ピックアップ３をリードインゾーン２０へシークして、光ディスク１の属性情報の読み取りを行なう（ステップＳ６）。
【００２４】
なお、ステップＳ４において、Ｗｏｂｂｌｅグルーブの振幅が、所定の閾値以下であるか否かの判定を行なっている理由は、他の既存のＤＶＤ規格の光ディスク１とＤＶＤ  Ｄｏｗｎｌｏａｄ規格の光ディスク１とでは、検出されるＷｏｂｂｌｅ周波数が明らかに異なるためである。具体的には、従来の光ディスク装置においては、バンドパスフィルタを用いて記録型の光ディスク１に特有なＷｏｂｂｌｅグルーブの周波数（Ｗｏｂｂｌｅ周波数）を検出しているが、このバンドパスフィルタを用いてＤＶＤ  Ｄｏｗｎｌｏａｄ規格の光ディスク１の有するＷｏｂｂｌｅ信号を検出すると、他の既存のＤＶＤ規格の光ディスク１において検出される振幅より明らかに小さいという特性を用いたものである。なお、ここでいう「所定の閾値以下」とは、光ディスク装置により異なるため、必ずしも一律に特定できる値ではないが、通常、Ｗｏｂｂｌｅグルーブを有さない非記録型の光ディスクに対してプッシュプル法により得られる微小レベルのトラッキングエラー信号の振幅以上であることを意図している。
【００２５】
信号処理／サーボ制御部４は、第二識別手段として、リードインゾーン２０で読み取られた信号からＣＳＳ情報を検出したか否かの判定を行なう（ステップＳ７）。信号処理／サーボ制御部４は、リードインゾーン２０でＣＳＳ情報が検出されないとき（Ｎｏ）は、光ディスク１の再生処理を行なわない（ステップＳ８）。一方、信号処理／サーボ制御部４は、第三識別手段として、リードインゾーン２０でＣＳＳ情報が検出されたとき（Ｙｅｓ）は、更にＣＳＳ情報のＢｏｏｋＴｙｐｅがＤＶＤ−ＲＯＭであるか否かの判定を行なう（ステップＳ９）。信号処理／サーボ制御部４は、ＣＳＳ情報のＢｏｏｋＴｙｐｅがＤＶＤ−ＲＯＭ以外であるとき（Ｎｏ）は、光ディスク１の再生処理を行なわない（ステップＳ８）。信号処理／サーボ制御部４は、ＣＳＳ情報のＢｏｏｋＴｙｐｅがＤＶＤ−ＲＯＭであるとき（Ｙｅｓ）は、光ディスク１をＤＶＤ  Ｄｏｗｎｌｏａｄ規格の光ディスク１と判定する（ステップＳ１０）。
【００２６】
このような判別方法を採用することにより、装填された光ディスク１がＤＶＤ  Ｄｏｗｎｌｏａｄ規格の光ディスク１であることを誤動作なく容易に判別することができる。
【００２７】
以上、本発明の実施の形態を説明したが、本発明はその要旨を逸脱しない限り種々変更実施できる。たとえば、上述した判別方法では、ステップＳ９でＹＥＳと判定した場合においてＤＶＤ  Ｄｏｗｎｌｏａｄ規格の光ディスク１であると判定したが、ステップＳ７の判定においてＹｅｓと判定した時点で、リードインゾーン２０に記録されているブックタイプを確認することなく、ステップＳ１０に移行し、ＤＶＤ  Ｄｏｗｎｌｏａｄ規格の光ディスク１であると判別してもよい。このような判別方法とすることで、リードインゾーン２０に記録されている属性情報（ブックタイプ）を確認する処理ステップ（ステップＳ８）が不要となり、光ディスク装置が行なっている従来の判別処理を変更することに伴う判別処理プログラムや他の制御処理プログラムに対する影響を、より少なくすることができる。
【００２８】
また、本発明は、上述した判別処理のフローに基づくプログラムを情報処理装置にインストールすることにより、その目的を実現することができる。つまり、従来のＤＶＤ再生装置の光ディスク判別ソフトウェアの一部に、本発明のプログラムをインストールすることにより、誤動作等を発生させることなくＤＶＤ  Ｄｏｗｎｌｏａｄ規格の光ディスク１であることを判別することが可能である。このようなプログラムは、ＣＤ−ＲＯＭ等の記録媒体に記録することにより、情報処理装置に容易にインストールすることができる。また、このようなプログラムは、ネットワークを介して情報処理装置にインストールすることもできる。なお、上記実施の形態は、光ディスク装置のうち、ＤＶＤ再生装置の例で説明したが、ＤＶＤ記録装置でも同様に実施できる。
【産業上の利用可能性】
【００２９】
本発明は、すべての光ディスク装置に適用できる。特に、本発明は、従来のＤＶＤ再生装置またはＤＶＤ記録装置に利用できる。
【図面の簡単な説明】
【００３０】
【図１】本発明に係る実施形態である光ディスク装置構成の一部を示す図である。
【図２】光ディスクの論理フォーマット上の区分を示した図である。
【図３】本発明の実施形態の動作を示すフローチャートである。
【図４】従来のディスク判別における処理動作を示すフローチャートである。
【符号の説明】
【００３１】
１  ＤＶＤ、２  モータ、３  光ピックアップ
４  信号処理／サーボ制御部（第一識別手段、第二識別手段、第三識別手段、レベル判定手段）
５  ディスク判別部（ディスク判別手段）、２０  リードインゾーン
２１  データゾーン、２２  論理アドレスの開始番地
【図１】
0005217463.tif 000002
【図２】
0005217463.tif 000003
【図３】
0005217463.tif 000004
【図４】
0005217463.tif 000005